(57)【要約】【課題】周波数移動整相法にしたがうディジタル化された超音波診断装置において、参照信号の周波数を自在に変化させ、種々の高画質もしくは高速のイメージングを可能にする技術を提供する。【解決手段】配列する超音波振動子群で得た受信信号はそのナイキスト周波数より高いサンプリング周期で離散化、ディジタル化され、それぞれ参照信号とミキシングされたあと、サンプリング方向に複数サンプル分累加され、受波フォーカス手段により整相加算される。その参照信号は受信信号のサンプリング番号に対応して記憶手段から順次読み出して使用する。送波からの時間経過により周波数が逓減する信号から得る参照信号列、または周波数が異なる２信号から交互に得る参照信号列などを予め上記記憶手段に格納しておく。【選択図】図１
2008237932.tif 000002
【特許請求の範囲】
【請求項１】
互いに異なる周波数ω１、ω２をそれぞれ中心周波数とする第１、第２の送波信号を合成して配列する超音波振動子群をそれぞれ駆動する送波手段と、前記超音振動子群で反射エコーを検出することにより得る受信信号をその信号帯域の上限のナイキスト周波数より高いサンプリング周波数でサンプリングしてそれぞれディジタル信号に変換するディジタル変換手段と、それぞれの上記ディジタル信号に周波数が上記ω１の近傍の第１の参照信号と、周波数が上記ω２の近傍の第２の参照信号とを交互に切り替えて乗算するミキシング手段と、上記ミキシング手段の乗算結果を交互に振り分けるマルチプレクサと、振り分けられた上記乗算結果を互いに独立にそれぞれ時間経過方向に累加して第１、第２の累加結果を得る累加手段と、上記第１、第２の累加結果のそれぞれについて各超音波振動子毎の位相差を揃える遅延分布を与えて整相加算する多重化された受波フォーカシング手段とを有することを特徴とする超音波診断装置。
【請求項２】
上記第１の送波信号は第１の方位に、上記第２の送波信号は第２の方位にそれぞれ送波超音波ビームを形成するものであり、上記多重化された受波フォーカシング手段は、上記第１の累加結果については上記第１の方位からの超音波伝搬時間を補償する遅延分布を与える整相加算を、上記第２の累加結果については上記第２の方位からの超音波伝搬時間を補償する遅延分布を与える整相加算をそれぞれ実施することを特徴とする請求項１記載の超音波診断装置。
【請求項３】
上記第１、第２の送波信号は互いに同一位置の焦点に向かう送波超音波ビームを形成するものであり、上記多重化された受波フォーカシング手段は上記第１、第２の累加結果のそれぞれについて上記焦点の方位からの超音波伝搬時間を補償する遅延分布を与える整相加算をそれぞれ実施することを特徴とする請求項１記載の超音波診断装置。
【請求項４】
ω１を中心周波数とし、近距離の第１の焦点に向かう超音波ビームを形成するための第１の送波信号と、前記ω１より低いω２を中心周波数とし、前記第１の焦点と同一方位で遠距離の第２の焦点に向かう超音波ビームを形成するための第２の送波信号とを合成して配列する超音波振動子群をそれぞれ駆動する送波手段と、前記超音振動子群で反射エコーを検出することにより得る受信信号をその信号帯域の上限のナイキスト周波数より高いサンプリング周波数でサンプリングしてそれぞれディジタル信号に変換するディジタル変換手段と、それぞれの上記ディジタル信号に周波数が前記ω１の近傍から前記ω２の近傍にむかって逓減する参照信号を乗算するミキシング手段と、乗算されたそれぞれのディジタル信号を複数サンプル分累加する累加手段と、累加されたディジタル信号に各超音波振動子毎の位相差を揃える遅延を与えて加算する受波フォーカシング手段とを有する超音波診断装置。
【発明の詳細な説明】
【技術分野】
【０００１】
本発明は、超音波診断装置に関し、特に、超音波により物体を非破壊検査する装置あるいは医療診断に用いる超音波診断装置等において、被検者および撮像部位によらずに高画質の断層像を得るための信号処理のディジタル化に適用して有効な技術に関するものである。
【背景技術】
【０００２】
配列する超音波振動子からの受波信号を用いて超音波断層像を形成する信号処理法の一つに周波数移動整相法と呼ばれるものが知られている。この方法は、各超音波振動子からの信号に参照信号を混合し、各混合信号の低周波成分を抽出し、つまり低周波数側に移動させてから、それぞれを遅延回路で遅延することにより整相し加算して、所望の位置にフォーカスされた超音波応答信号を得るものである。関連する文献としては米国特許４１４００２２号、特開昭５２−２０８５７号、米国特許４９８３９７０号がある。
【０００３】
特開平６−３１３７６４号公報には上記周波数移動整相法を基本とし、その信号処理の大部分をディジタル化した技術が示される。特に、高速サンプリングしてディジタル化した各超音波信号に参照波を混合した後にそれぞれ累加処理を行うというオーバーサンプリングの技法を取り入れることにより、アナログディジタル変換の実効精度を高めている。
【０００４】
一方、特開平９−２０６２９８にはディジタル直交検波を採用した超音波装置が示される。この公知例においては、ディジタル化した各超音波振動子からの信号はまず遅延回路によりそれぞれ遅延され、次に遅延されたそれぞれの信号が直交検波回路に入力されてその同相成分と直交成分とが生成される。その直交検波回路では、参照波の周波数を変更したのと等価な補間演算がなされ、これにより超音波エコーの中心周波数がエコー時間とともに低域へシフトするスペクトラムシフトに対処している。
【発明の開示】
【発明が解決しようとする課題】
【０００５】
補間演算により実効的な参照波の周波数変更を行う方式では参照波の大幅な周波数変更が困難である。また上記公知例のディジタル直交検波方式では、周波数の低域への移動の前に、各素子からの超音波信号をディジタル化した高周波信号を遅延手段により遅延して整相しているため、各信号チャネルの遅延時間の制御に高い精度が要求される。
【課題を解決するための手段】
【０００６】
本発明はオーバーサンプリングの効果を生かした周波数移動整相法を前提とする。すなわち各素子から超音波信号は、その信号帯域の上限のナイキスト周波数よりも高い周波数でサンプリングされ、後段にて累加処理される。また、サンプリングされたディジタル信号は参照信号と混合され、上記累加処理がなされた後に遅延回路により整相されて加算される。
【０００７】
このような周波数移動整相法に従うディジタル化された超音波診断装置において、さらに参照信号の周波数を自在に変化させ、種々の高画質もしくは高速な撮像を可能にするのが本発明の一つの目的である。
【０００８】
本発明のより具体的な目的の一つはディジタル回路を主体とする超音波診断装置において、高調波イメージングを行うことが可能な技術を提供することにある。
【０００９】
本発明のその他の目的は、ディジタル回路を主体とする超音波診断装置において、周波数の異なる複数ビーム同時形成を行うことが可能な技術を提供することにある。
【００１０】
本発明のその他の目的は、ディジタル回路を主体とする超音波診断装置において横方向分解能を高めて超音波画像の画質を向上することにある。
【００１１】
本発明の前記ならびにその他の目的と新規な特徴は、本明細書の記述及び添付図面によって明らかになるであろう。
【００１２】
本発明に従う超音波診断装置の代表的なものの構成は、配列する超音波振動子群を繰り返し駆動して超音波を発生させる送波手段と、前記超音波振動子で得る受信信号をその信号帯域の上限のナイキスト周波数より高いサンプリング周波数でサンプリングしてそれぞれディジタル信号に変換するディジタル変換手段と、それぞれの上記ディジタル信号に参照信号を乗算するミキシング手段と、乗算されたそれぞれのディジタル信号を複数サンプル分だけ累加する累加手段と、累加された各ディジタル信号に各超音波振動子毎の位相差を揃える遅延を与えて加算する受波フォーカシング手段とを有し、さらに上記参照信号を順次上記ミキシング手段に供給するミキシングデータ発生手段を有する。より詳しくは、ミキシングデータ発生手段は、受信信号のサンプル点数に対応する参照信号列を予め計算するデータ演算手段と、その計算された参照信号列を格納し、受信信号のサンプル番号に対応した読み出しアドレス制御により格納された参照信号を順次出力する記憶手段とを含む。
【００１３】
一般的な超音波断層像の撮像を行う場合では、ミキシングデータ発生手段は、周波数が送波の中心周波数付近からの時間経過にとともに逓減する信号を離散化したデータを順次参照信号列としてミキシング手段に供給する。これによって、エコー深度が深くなるに従い受波超音波の周波数帯域が低域側にシフトするスペクトラムシフトに対応したミキシング処理を行うことができは、超音波画像の画質が向上する。
【００１４】
また、送波超音波の中心周波数の整数倍の周波数の信号を離散化したデータを参照信号列として準備し、順次ミキシングに用いることにより容易に高調波イメージングを行うことができる。この場合も、周波数逓減の手法を適用することにより画質を向上することができる。
【００１５】
さらに各超音波振動子からの信号がオーバーサンプリングされていることを利用した特有の構成も可能である。すなわち、上記構成に対し送波手段を２重に設け、互いに異なる中心周波数ω１とω２をそれぞれ持ち、しかも焦点方位の異なる二つのビームを合成して同時に送波する構成とする。一方、ミキシングデータ発生手段では周波数がω１近傍の信号から得る参照信号と、周波数がω２近傍の信号から得る参照信号を交互に発生し、ミキシング手段はその交互に変化する参照信号を用いて乗算を行う。さらに累加手段と受波フォーカシング手段も２重に設け、ミキシング手段の出力をマルチプレクサにより振り分けて供給する。その２重の受波フォーカシング手段の一方はω１のビームの方位に、また他方はω２のビームの方位に位相合わせを行う。この構成では、送波では複数の超音波ビームが合成されて同時に送波されるのに対し、受信信号処理では、参照信号の交互切り替えによってそれぞれのビームに適切な整相処理を施すためのビームの選択が実質的に行われる。これにより、高速の撮像が可能となる。
【００１６】
上記した、複数の超音波ビームを合成して送波する送波手段を活用して、別の構成も可能である。すなわち、送波手段はω１を中心周波数とし、近距離の第１の焦点を持つ超音波ビームと、ω１より低いω２を中心周波数とし上記第１の焦点と同一方向で遠距離の第２の焦点を持つ超音波ビームを合成して送波する。受信信号処理の部分は上記した一般的な撮像の場合と全く同様で、周波数の逓減する信号から得る参照信号列によりミキシングを行う。これによると送波多段フォーカスが同時送波により行われるため、広い深度域で横方向解像度を向上させたさた撮像が高速に行われる。
【発明を実施するための最良の形態】
【００１７】
以下、本発明について、発明の実施の形態（実施例）とともに図面を参照して詳細に説明する。全図において、同一機能を有するものは同一符号を付している。
（実施の形態１）
図１は本発明の実施の形態１の超音波診断装置の概略構成を説明するための図である。超音波探触子１０１は１次元配列するＮ個の超音波振動子を持つ。各超音波振動子は駆動源８５で発する駆動信号に送波フォーカス回路で遅延分布をかけた送波信号により繰り返し駆動される。ディジタル変換手段１０２はＮ個のA/D変換器で構成される。各振動子の超音波エコーの受信信号は全チャネル共通の周期Ｔのサンプリングクロックでサンプリングされ、ディジタル化される。サンプリング周期Ｔは受波信号の帯域上限のナイキスト周期より短く設定される。ここでチャネルとはＮ個の受信信号が並列に同様な処理を受けていく過程での一信号分のことをいう。ディジタル化された受信信号はそれぞれミキシング手段１０３でディジタル化された参照信号と乗算される。乗算される参照信号については後に詳述するが、受信信号の中心周波数ωＳとほぼ等しい周波数ωｍの信号の複素成分R、Iの離散値であるので、乗算結果はそれぞ複素記号になり、かつその周波数帯域は元の受信信号の帯域と  ωＳとの差周波数帯域（ベースバンド）と、和周波数（ωＳ＋ωｍ）を中心とする帯域とにシフトする。その各乗算結果は累加手段１０４で時間経過方向に複数サンプル分累加される。その結果は累加によるローパスフィルタ効果により上記のベースバンドの部分のみとなる。なお、累加手段１０４は単なる累加でなく、重み係数をかけた累加、つまり積和演算を行って所望のローパスフィルタ特性を実現するものでも良い。
【００１８】
ディジタル遅延手段１０５は各振動子へのエコー到達時間の差を相殺する遅延をそれぞれの累加信号にかける。このＮチャネル分の遅延結果を加算手段１０６で加算することにより、目的焦点位置からの反射エコーのみ強調するよく知られた電子フォーカシングが達成される。加算手段１０６の出力は、複素信号の実数部（同相成分）と虚数部（直交成分）のそれぞれについて得られるので、包絡線変換回路９２にて絶対値に変換し、その結果をデジタルスキャンコンバータ９４に書き込む。
【００１９】
以上の動作は、よく知られた電子セクタスキャン法にしたがって繰り返し実行される。送波フォーカス回路８６で実現する送波超音波の焦点の方位は送波の繰り返し毎に変更され、ディジタル遅延手段１０５で実現する受波ビームの焦点の方位もそれに合わせて制御される。このビームスキャンの結果は順次ディジタルスキャンコンバータ９４に蓄積され、もって表示装置９６で超音波断層像が表示される。
【００２０】
なお受波ビームの焦点は、一回の送波に続く受波期間中も受信信号のエコー深度か時間経過とともに深くなるのに合わせて深度方向に移動される。この技術も、受波ダイナミックフォーカシングとしてよく知られている。図１で制御回路９０からディジタル遅延手段１０５に与える制御信号ｄはこの焦点移動に伴う遅延分布の変更を制御する信号を示す。一方、送波フォーカス回路８６に与える制御信号ｂは、上記の送波超音波の焦点の方位変更を制御する信号を示す。
【００２１】
以上の超音波診断装置において、周波数帯域移動のためにミキシング手段１０３で乗算されるディジタル化された参照信号は、一定周波数の信号を離散化、ディジタル化したものでない。すなわち受信信号の高周波数成分は、送波からの時間経過にしたがい、つまり反射音源の深度が深くなるにしたがって激しく減衰し、受信信号の中心周波数ωＳは低周波方向にシフトする。よって一定周波数の参照信号を用いると、深い深度域での超音波エコーの検出効率が低下してしまう。そこでミキシングデータ発生手段１０７からミキシング手段１０３に供給する参照信号も、このようなスペクトラムシフトに対応してに周波数を変更する。
【００２２】
ミキシングデータ発生手段１０７は図２に示すとおりミキシングデータ演算手段１０９とミキシングデータ記憶手段１１０で構成される。ミキシングデータ演算手段１０９は、たとえば、周知の情報処理装置上で動作するプログラムで実現する。本実施態様ではディジタル変換手段のサンプリング周期Ｔは４０nsecであり、一回の送波後の受波期間でのサンプル数は４０９６である。そこでミキシングデータ演算手段１０９は０≦ｋ＜４０９６の自然数ｋにわたって次式で示す参照信号の複素成分を算出する。
ｈ(kT)＝exp(ｊωｍ(kT) kT )                  （１）
【００２３】
なお、正確には位相項は積分で表現すべきだが(1)式では簡略に周波数と時間の積で示している。式(1)の示す関数を図示すると図３のようになり、その周波数ωｍ(kT)は送波の中心周波数付近から時間経過とともに、つまりｋが大きくなるにしたがい単調に低下する。その低下の度合いは超音波の受信信号の中心周波数のシフトに概ね追従させれば良い。たとえば、送信信号の中心周波数が３．５ＭＨｚの場合には、(1)式のωｍ(kT)として、次式が採用できる。
【数１】
2008237932.tif 000003
【００２４】
この（２）式では、ｋ＝０の時、ωｍ(kT)は３．５ＭＨｚであり、その後、周波数が線形で減りｋ＝４０９５の時、ωｍ(kT)は２．５ＭＨｚである。
【００２５】
このように周波数が変化する信号の４０nsec毎の離散値の複素成分が０≦ｋ＜４０９６のすべてのｋにわたってディジタル化参照信号列として予めミキシングデータ演算手段１０９で算出され、ミキシングデータ記憶手段１１０に格納される。ミキシングデータ記憶手段１１０は周知の半導体メモリにより構成される。図１にｃで示すアドレス制御信号によりミキシングデータ記憶手段１１０の読み出しアドレスが順次指定され、格納されたディジタル化参照信号がディジタル化受信信号のサンプル番号ｋ対応して順次読み出されて、ミキシング手段に供給される。
なおこのディジタル化参照信号は各チャネルに共通である。また、一般に受信信号周波数のスペクトラムシフトは超音波ビームの方位にさほど影響されないので、参照信号の周波数変化はビーム方向によらず同じ変化法を採用すれば良い。つまり、上記のアドレス順次指定による読み出し制御は送波の繰り返しごとに全く同様に繰り返される。
【００２６】
以上のように、受信信号のスペクトラムシフトに追従する周波数の参照信号をミキシングに採用すると、ミキシングにより発生するベースバンド成分の中心周波数は常にゼロ付近であるので、累加によるベースバンド抽出が高効率で行なわれ、もって超音波断層像の向上することが可能となる。
【００２７】
上記の例では最も浅い深度からの受信信号（ｋ＝０）に対応する参照信号の周波数を送波の中心周波数３．５ＭＨｚに等しくしたが、画像化する受波の中心周波数をより高く設定する、つまりｋ＝０に対応する参照信号周波数をより高くすることも考えられる。たとえばωｍ(kT)は次式にしたがう。
【数２】
2008237932.tif 000004
【００２８】
この（３）式では、ｋ＝０でωｍ(kT)＝４．５ＭＨｚ、ｋ＝４０９５でωｍ(kT)は２．５ＭＨｚとなる。またωｍ(kT)をｋの２次関数で減少させる例として次の（４）式または（５）も可能である。
【数３】
2008237932.tif 000005
【数４】
2008237932.tif 000006
【００２９】
次に、本実施の形態１の超音波診断装置において、高調波イメージングに対応する場合について述べる。
【００３０】
送波の中心周波数ωｓで、その包絡線形状がＡ(t)あるとき、配列のｎ番目の振動子の受信信号を離散化したものは、その振幅の最も大きい成分に着目すると次式で表せる。
ｆｎ(ｋＴ)＝ｕ(ｋＴ−τｎ)
＝Ａ(ｋＴ−τｎ)[exp{ｊ(ωｓ(ｋＴ)ｋＴ−φｎ)}
＋exp{−ｊ(ωｓ(ｋＴ)ｋＴ−φｎ)}］            (６)
ただし、τｎはそのｎ番目の振動子までの音波の伝搬時間でありφｎ＝ωｓ(ｔ)・τｎである。ωｓ(ｋＴ)は受信振幅の最大となる周波数がサンプル番号ｋにより上記したスペクトラムシフトで次第に変化することを示す。一方、受信信号には高調波も含まれ、特に２倍高調波に着目すると離散化した受信信号は次式で表せる。
ｆｎ(ｋＴ)＝ｕ(ｋＴ−τｎ)
＝Ａ(ｋＴ−τｎ)[exp{ｊ(２ωｓ(ｋＴ)ｋＴ−２φｎ)}
＋exp{−ｊ(２ωｓ(ｋＴ)ｋＴ−２φｎ)}］        (７)
【００３１】
この２倍高調波に着目した高調波イメージングを行うにはミキシング手段１０３に供給する参照信号として周波数がωｍ(ｋＴ)≒２ωｓ(ｋＴ)となる参照信号を供給すれば良い。つまり離散化されたディジタル参照信号ｈｎ(ｋＴ)は、次式とする。
ｈｎ(ｋＴ)＝exp(ｊ２ωｓ(ｋＴ)ｋＴ)                (８)
すると、ミキシング手段１０３によるよう乗算結果は上記（７）式については、
ｇｎ(ｋＴ)＝ｆｎ(ｋＴ)・ｈｎ(ｋＴ)
＝Ａ(ｋＴ−τｎ)[exp{ｊ(４ωｓ(ｋＴ)ｋＴ−２φｎ)}
＋exp(ｊ２φｎ)]                            (９)
また上記（６）式については、
ｇｎ(ｋＴ)＝ｆｎ(ｋＴ)・ｈｎ(ｋＴ)
＝Ａ(ｋＴ−τｎ)[exp{ｊ(３ωｓ(ｋＴ)ｋＴ−φｎ)}
＋exp{ｊ(ωｓ(ｋＴ)ｋＴ＋φｎ)}]            (１０)
と表せる。つまりωｍ(ｋＴ)≒２ωｓ(ｋＴ)の周波数の参照信号を乗算すると、受信信号の２倍高調波成分は４ωｓ(ｋＴ)を中心とする帯域と低周波のベースバンドに移動する。したがって、図１の装置構成で、累加によるフィルタ効果により、このベースバンドのみ抽出して映像化することができる。このとき、受信信号の基本波成分は（１０）式のとおり周波数３ωｓ(ｋＴ)とωｓ(ｋＴ)に移動するので、累加によるフィルタ効果で減衰する。つまり図１、図２で説明した装置構成で、ミキシングデータ記憶手段１１０に格納して順次読み出すディジタル化参照信号を式（８）に従うものとするだけで高調波イメージングが可能である。
【００３２】
この高調波イメージングの場合にも、前述した送波後の時間経過にともなう受信信号の高域減衰の影響をうけるので、参照信号の周波数を時間経過とともに低減させる制御を併用することによる画質の向上の効果が得られる。なお、累加手段１０４による減衰効果が不十分な場合には、ディジタル変換手段１０２の前にアナログフィルタを挿入し、受信信号の周波数ωｓ近傍の基本波成分を予め減衰させてもよい。
【００３３】
（実施の形態２）
上記のように、超音波受信信号に乗算するディジタル化参照の周波数を選ぶことにより、受信信号の帯域を選択し映像化できる。そこで、図４に示す本発明の実施の形態２ではこの原理を応用し、周波数の異なる複数の超音波ビームを同時に送波し、参照信号の切り替えにともなってミキシング手段の出力を振り分けることにより周波数の異なる複数ビームの映像を並行して得る。
【００３４】
図４において、駆動源８１は中心周数ω１の送波信号を発生し、駆動源８２は中心周波数ω２の送波信号を発生する。これらの送波信号を別々の送波フォーカス回路８６および８７に入力して、遅延分布が与えられたそれぞれＮ個の送波信号を得る。加算手段８８は各チャネル毎にこれらを相互に加算し探触子１０１の各振動子を駆動する。ここで、送波フォーカス回路８６で実現するフォーカス位置Ｆ１と送波フォーカ手段８７で実現するフォーカス位置Ｆ２とは、図５に示すように方位が異なり、これにより中心周数と方位が異なる２本の超音波ビームが同時に送波される。具体的には、ω１が３．５ＭＨｚ、ω２が５．０ＭＨｚなどである。
【００３５】
一方、ミキシング手段１０３がディジタル化された各振動子の受信信号に参照信号を乗算するのは実施の態様１の装置と全く同じであるが、用いる参照信号が偶数番目サンプルと奇数番目サンプルとで交互に切  り替えられている点が実施の態様１と異なる。すなわち、ミキシングデータ発生手段１０７の内部の記憶手段に、受信信号のサンプル番号ｋ（０≦ｋ＜４０９６）に対応して次のようなディジタル化参照信号ｈ(kT)が格納されている。
ｋが偶数のとき、
ｈ(kT)＝exp(ｊωｍ１(kT) kT )                 (１１−１)
ｋが奇数のとき、
ｈ(kT)＝exp(ｊωｍ２(kT) kT )                 (１１−２)
ここでωｍ１(kT)は駆動源８１の送波中心周波数ω１にほぼ等しく、
ωｍ２(kT)は駆動源８２の送波中心周波数ω２にほぼ等しい。なおこれら参照信号周波数ωｍ１(kT)、ωｍ２(kT)はそれぞれ一定値でも良いが、前述した送波からの時間経過ともなう受信信号のスペクトラムシフトに対応してｋの増加とともに逓減させても良い。このように周波数がそれぞれ逓減する信号をもとにした参照信号を採用する場合のｋとωｍ１(kT)、ωｍ２(kT)の関係を図示すると図６のようになる。
【００３６】
以上のような交互に切り替わるディジタル化参照信号が順次供給されて得る乗算結果は、図４のマルチプレクサ１１２で奇数番目と偶数番目とに振り分けられ、２重に設けられた累加手段１０３-aと１０４-bとでそれぞれ累加される。累加結果は２重に設けられた受波フォーカス回路１０５-a、１０５-bでそれぞれ整相加算される。受波フォーカス回路は、図１のディジタル遅延手段１０５と加算手段１０６とを纏めて示したものでる。また、受波フォーカス回路１０５-aは周波数ωｍ１(kT)の参照信号の乗算結果が乗算された奇数番目のサンプルに対し送波焦点Ｆ１の方向に受波ビームの焦点を結ぶよう制御される。つまりＦ１の方位の音源から各振動子への超音波伝達時間の差を補償する遅延分布を与える。受波フォーカス回路１０５-bは周波数ωｍ２(kT)の参照信号の乗算結果が乗算された偶数番目のサンプルに対し送波焦点Ｆ２の方向に受波ビームの焦点を結ぶよう制御される。つまりＦ２の方位の音源から各振動子への超音波伝達時間の差を補償する遅延分布をあたえる。なお、これらの受波焦点をそれぞれＦ１の方位、Ｆ２の方位にそって近距離から遠距離に送波からの時間経過とともに移動する、つまりそれぞれ受波ダイナミックフォーカスを実施するのが好ましいのは実施の態様１と同様である。これらの整相加算結果はそれぞれ包絡線変換回路９２で絶対値に変換され、断層像の別々のスキャンラインデータとしてスキャンコンバータ９４に書き込まれる。
【００３７】
理解の容易のため、順次得られる受信信号サンプルが振り分けられ、多重に整相される様子を図７に示した。なお図４ではマルチプレクサ１１２と２重の累加手段１０４-a、１０４-bで装置構成を示したが、ミキシング手段１０３の次段はミキシングの結果を交互に振り分けてそれぞれを累加する機能をもつ処理手段であれば良い。このような振り分け・多重整相が可能なのは、そもそもディジタル変換手段１０２の段階で受信信号のナイキスト周波数以上のサンプリングが行われ、さらに乗算による周波数移動の結果、ミキシング手段１０３の出力は必要なサンプル周期よりも遥かに細かい周期で得られるからである。
【００３８】
以上の動作により、周波数の異なる２本の超音波ビームによる２本のスキャンラインが一回の送波で並行して得られるので高速撮像が可能となる。従来の受波ビームのみを同時に複数形成する方式に比べて、送波ビームもそれぞれ独立の焦点をもつため、横方向解像度の点で勝る。
【００３９】
以上の実施の態様２における２つの周波数ω１、ω２による同時送波を応用した種々の変形が可能である。その一つがスペックル除去である。スペックルとは、生体内での超音波信号同士の干渉模様であり、実際には反射体の存在しない個所に強い応答が出現し、診断上好ましくない場合がある。ここで、スペックルは干渉模様であるため、送信信号の周波数が変化すると出現個所も変化する。一方、実際の反射体からの信号は送信信号の周波数が変化しても同じ場所に出現する。よって、この性質を利用する。すなわち、周波数の異なる２つの送信信号による同一個所からの反射信号同士を加算することによって、実際の反射体からの信号は強め合い、スペックル信号は弱め合うので、画面上のスペックルを低減できることが知られている。
【００４０】
そこで、図４に示す超音波診断装置において、送波フォーカス回路８６で実現する焦点Ｆ１と送波フォーカス回路８６で実現する焦点Ｆ２とを同一位置とする。ミキシング手段１０３は、上記した複数スキャンライン形成のときと全く同様に、周波数がω１近傍の信号から得る参照信号と、周波数がω２近傍の信号から得る参照信号とを交互に用いて乗算を行う。２重の受波フォーカス手段１０５-aと１０５-bとは、どちらも上記同一位置の焦点の方位からの超音波に位相がそろうような同一の整相をおこなう。これら二つの整相結果は互いに加算された後に包絡線変換回路９２にて絶対値に変換され、画像データとする。これにより、１つの受信信号列から同時に形成される周波数ω1と周波数ω2との２  つの超音波ビームが加算され、リアルタイムでスペックルを低減できる。なお、相互加算されるのは厳密には同時刻のデータ同士でなく、１サンプル周期Ｔだけずれたデータ同士となるが、スペックル除去に関し全く問題はない。
【００４１】
次に実施の態様２を送波同時多段フォーカスに応用する例を説明する。この場合、図４の２つの送波フォーカス回路８６、８７で実現する焦点Ｆ１と焦点Ｆ２とは、図８に示す通り方位が同じで、焦点Ｆ１が近距離に、焦点Ｆ２が遠距離にある。合成送波される２本の送波ビームの中心周波数は、例えばω１が３．５ＭＨｚであれば、ω２は遠距離エコーのスペクトルシフトに対応して、例えば２．７ＭＨｚ程度に設定する。ミキシング手段以降の構成および動作、並びに用いられるディジタル化参照信号は、図１から図３で説明した実施の態様１と全く同一である。ディジタル化参照信号の周波数は、反射エコーのスペクトラムシフトに対処するため、送波からの時間経過とともに逓減させる。上記の送波周波数の場合、参照信号の周波数は例えば３．５ＭＨｚから２．５  ＭＨｚに向かう。
【００４２】
この様な送波および受信信号処理によれば、浅い深度からの受信信号の処理では、用いる参照信号の周波数がω１に近いため、近距離に収束するω１の送波ビームの強く反映した反射応答が得られると。逆に深い深度からの受信信号の処理では、用いる参照信号がω２に近いため、遠距離に収束するω２の送波ビームを強く反映した反射応答となる。つまり得られる超音波断層像は、広い深度域に渡り横方向解像度か高いものとなる。しかも、異なる収束距離の超音波ビームを合成して同時送波するため、スキャンタイムは増加せず、高速な撮像が可能となる。
【００４３】
以上、本発明者によってなされた発明を、前記発明の実施の形態に基づき具体的に説明したが、本発明は、前記発明の実施の形態に限定されるものではなく、その要旨を逸脱しない範囲において種々変更可能であることは勿論である。
【産業上の利用可能性】
【００４４】
本願において開示される発明のうち代表的なものによって得られる効果を簡単に説明すれば、下記の通りである。
（１） 周波数移動整相法にしたがうディジタル化した超音波診断装置に
おいて、参照信号の周波数を自在に制御することができ、それにより種
々の高画質もしくは高速の撮像が可能となる。
（２）高調波イメージングを行うことができる。
（３）周波数の異なる複数ビーム同時形成により高速に撮像を行うことができる。
（４） 横方向分解能を広い深度範囲で高め、超音波画像の画質を向上することができる。
【図面の簡単な説明】
【００４５】
【図１】本発明の実施の形態１の超音波診断装置の概略構成を示すブロック図説明である。
【図２】上記実施の形態１の詳細構成を示すブロック図である。
【図３】上記実施の形態１におけるミキシングデータの基となる時間経過とともに周波数が低下する信号を波形図である。
【図４】本発明の実施の形態２の超音波診断装置の概略構成を示すブロック図説明である。
【図５】上記実施の形態２における２方向の同時送波を示す概念図である。
【図６】上記実施の形態２におけるディジタル化参照信号の列を示す概念図である。
【図７】上記実施の形態２におけるサンプル列の処理と振り分けの動作を示す概念図である。
【図８】上記実施の形態２における焦点距離のことなる複数ビームの同時送波を示す概念図である。
【図１】
2008237932.tif 000007
【図２】
2008237932.tif 000008
【図３】
2008237932.tif 000009
【図４】
2008237932.tif 000010
【図５】
2008237932.tif 000011
【図６】
2008237932.tif 000012
【図７】
2008237932.tif 000013
【図８】
2008237932.tif 000014